(57)【特許請求の範囲】
【請求項１】
鈎部を先端に有するフック本体の後端部に上記鈎部の開口を内側より開閉し、フック本体の後端部と共に握ることによって鈎部の開口を開放する方向に揺動する操作レバーの後端部を揺動自在に取付け、その操作レバーの先端が前記鈎部の先端部内面に当接する方向に操作レバーを偏向するスプリングを設け、上記操作レバーの先端部内面に対する先端の当接によってその操作レバーの内方向への揺動を阻止し、指先で押し下げることによって操作レバーのロックを解除する方向に揺動するロックレバーの後端部を前記フック本体の中央部に揺動自在に取付け、そのロックレバーの先端が操作レバーの先端部内面に対向する位置から鈎部の内側に向けてロックレバーが揺動するのを防止するストッパ機構を設け、このストッパ機構が作動する方向にロックレバーを偏向するスプリングを設け、前記ロックレバーを指先により押し下げるロック解除の動作時に、その指先によって操作レバーが開放方向に揺動されないようにした安全装置付きのフック。
【発明の詳細な説明】
【０００１】
【産業上の利用分野】
この発明は、安全装置付きのフックに関するものである。
【０００２】
【従来の技術】
一般に、高所で作業を行なう場合、作業者の腰部に安全帯を締付け、その安全帯に接続したロープの先端のフックを高所に張設した親綱や適宜の構築物に係合して作業者の墜落防止を図るようにしている。
【０００３】
ところで、上記フックが、鈎部を先端に有する通常のフックであると、親綱等の被係合物から外れる危険があるため、上記フックとして、安全装置付きのものが用いられている。
【０００４】
安全装置付きのフックとして、図３に示したものが従来から知られている。このフックは、フック本体２０の先端部に鈎部２１を設け、このフック本体２０の内側部に配置され、ピン２２を中心に揺動可能に設けられた操作レバー２３をスプリング２４で偏向して先端を上記鈎部２１の先端部内面に当接させ、この操作レバー２３の後端部に設けたピン支持片２５にピン２６を取付けてある。
【０００５】
また、フック本体２０の外側部に配置され、ピン２７を中心に揺動可能なロックレバー２８と上記フック本体２０との間にスプリング２９を組込み、このロックレバー２８の先端部に上記ピン２６が挿入する弧状の長孔３０を設け、その長孔３０の端部に係合孔３１を形成してある。
【０００６】
上記のフックにおいては、ピン２６と係合孔３１の係合によって操作レバー２３が内方向に揺動するのが防止され、ピン２７を中心にロックレバー２８を揺動させ、長孔３０の端部をピン２６に臨ませた状態で操作レバー２３を揺動させて鈎部２１の開口を開放させる必要があるため、安全であるという利点がある。
【０００７】
【発明が解決しようとする課題】
ところで、上記フックにおいては、鈎部２１の内径が大きく、操作レバー２３とロックレバー２８とで形成される角度も大きいため、操作レバー２３とロックレバー２８とを片手で同時に握った場合に滑り易く、両レバー２３、２８を片手で連続して揺動操作させることはきわめて困難であり、操作性が悪いという不都合がある。
【０００８】
また、ロックレバー２８がフック本体２０の外側に設けられているため、フックの係合状態において、ロックレバー２８に障害物が衝突することが多くあり、その衝突によってロックレバー２８がロック解除方向に揺動するため、安全性に問題がある。
【０００９】
その問題解決のため、実公平５−９０１３号公報に記載されたフックにおいては、フック本体の内側にロックレバーを設け、そのロックレバーの先端を操作レバーの先端部内面に対向させて操作レバーの開放方向への揺動を防止している。
【００１０】
ところで、上記公報に記載されたフックにおいては、操作レバーに形成された指先係合窓に指を挿入してロックレバーをロック解除方向に揺動させる構成であり、上記指先係合窓が切欠きから成る場合、フックを係合させた親綱等の被係合物がその指先係合窓に侵入してロックレバーをロック解除方向に揺動させると共に、操作レバーを開放方向に揺動させる危険がある。
【００１１】
この発明の課題は、安全性に優れたフックを提供することである。
【００１２】
【課題を解決するための手段】
上記の課題を解決するために、この発明においては、鈎部を先端に有するフック本体の後端部に上記鈎部の開口を内側より開閉し、フック本体の後端部と共に握ることによって鈎部の開口を開放する方向に揺動する操作レバーの後端部を揺動自在に取付け、その操作レバーの先端が前記鈎部の先端部内面に当接する方向に操作レバーを偏向するスプリングを設け、上記操作レバーの先端部内面に対する先端の当接によってその操作レバーの内方向への揺動を阻止し、指先で押し下げることによって操作レバーのロックを解除する方向に揺動するロックレバーの後端部を前記フック本体の中央部に揺動自在に取付け、そのロックレバーの先端が操作レバーの先端部内面に対向する位置から鈎部の内側に向けてロックレバーが揺動するのを防止するストッパ機構を設け、このストッパ機構が作動する方向にロックレバーを偏向するスプリングを設け、前記ロックレバーを指先により押し下げるロック解除の動作時に、その指先によって操作レバーが開放方向に揺動されないようにした構成を採用している。
【００１３】
【作用】
上記のように、ロックレバーをフック本体と操作レバーとの間に設けたことにより、そのロックレバーに障害物が衝突することはなく、安全である。
【００１４】
また、操作レバーの先端部内面にロックレバーの先端を対向させて操作レバーの開放方向への揺動を防止するようにしたので、フックを係合させた親綱等の被係合物がロックレバーに衝突して、そのロックレバーをロック解除方向に揺動させても、被係合物は操作レバーを開放方向へ揺動させることはない。このため、操作レバーはスプリングの弾力により鈎部の開口を閉じる状態に保持されて開放することはなく安全である。
【００１５】
【実施例】
以下、この発明の実施例を図１及び図２に基づいて説明する。
【００１６】
図示のように、フック本体１は鈎部２を先端に有し、その鈎部２の開口を内側から開閉する操作レバー３がフック本体１の内側部に設けられている。
【００１７】
操作レバー３は一対の側板４、４を有し、その側板４の後端部がフック本体１の後端部にピン５で回動自在に取付けられている。操作レバー３とフック本体１の後端部間にはスプリング６が組込まれている。このスプリング６は操作レバー３を外方向に押圧し、その押圧により操作レバー３の先端部が鈎部２の先端部内面に当接して鈎部２の開口を閉じている。
【００１８】
操作レバー３とフック本体１との間にはロックレバー７が設けられている。ロックレバー７は一対の側板８を有し、その側板８の後端部がフック本体１にピン９で回動自在に取付けられている。このロックレバー７は、その先端が操作レバー３の先端部内面に対向する状態において、操作レバー３が鈎部２の開口を開放する方向に揺動するのを防止する。
【００１９】
上記ロックレバー７は、ストッパ機構１０の作動により、その先端が操作レバー３の先端部内面に対向する位置から鈎部２の内側に向けて揺動するのが防止される。
【００２０】
ストッパ機構１０は、操作レバー３の先端部内面に設けたストッパ片１１から成り、そのストッパ片１１に対する当接によって操作レバー３は鈎部２に向けて揺動するのが防止される。
【００２１】
上記ストッパ片１１に代えて、ロックレバー７の後端をフック本体１の内側縁に対して当接可能とし、その内側縁に対する当接によってロックレバー７をロック位置から鈎部２の内側に向けて揺動するのを防止してもよい。ロックレバー７を支持するピン９にはスプリング１２が取付けられ、そのスプリング１２はロックレバー７の先端がストッパ片１１と係合する方向にロックレバー７を偏向している。
【００２２】
実施例で示す安全装置付きのフックは上記の構造から成り、このフックは従来のフックと同様に、ロックレバー７を揺動させてから操作レバー３を揺動させて鈎部２を親綱等の被係合部に係合させる。
【００２３】
いま、フック本体１の後端部と操作レバー３とを握り、フック本体１の内側に指先を挿入し、その指先でロックレバー７を押し下げると、ロックレバー７がピン９を中心として揺動して、その先端が操作レバー３の先端部内面から離反するため、操作レバー３のロックが解除される。
【００２４】
そこで、操作レバー３を握ると、操作レバー３が内方向に揺動し、鈎部２の開口が開放され、上記鈎部２を親綱等の被係合部に係合させることができる。
【００２５】
被係合部に鈎部２を係合してから操作レバー３の握りを解除すると、スプリング６の弾力により操作レバー３が外方向に揺動して先端部が鈎部２の先端部内面に当接すると共に、ロックレバー７はスプリング１２の弾力により鈎部２に向けて揺動し、その先端部がストッパ片１１に当接する。
【００２６】
このとき、ロックレバー７の先端は操作レバー３の先端部内面に対向するため、操作レバー３を開放方向に揺動させることができず、操作レバー３は鈎部２の開口を閉じるロック状態に保持される。
【００２７】
また、被係合物がロックレバー７に衝突しても、ロックレバー７のみがロック解除方向に揺動するのみであって、操作レバー３はスプリング６の弾力により鈎部２の開口を閉じる状態に保持されるため、被係合物からフックが外れず、安全である。
【００２８】
【発明の効果】
以上のように、この発明に係るフックにおいては、鈎部を係合させた被係合物がロックレバーに衝突しても、ロックレバーのみが揺動し、操作レバーは鈎部の開口を閉じる状態に保持されるため、被係合物からフックの鈎部が外れず、安全である。
【００２９】
また、操作レバーとフック本体との間にロックレバーを設けたので、障害物がロックレバーに衝突するのを防止することができ、ロックレバーがロック解除方向に揺動したり、変形したりするのを防止することができると共に、ロックレバーをフック本体の外側に設けたフックに比較して、フック本体と操作レバーとを握り易く、しかも１本の指をフック本体の内側に挿入する状態でロックレバーの揺動操作を行なうため、鈎部の開閉操作をスムーズに行なうことができる。
【図面の簡単な説明】
【図１】この発明に係るフックの一実施例を示す正面図
【図２】図１のII−II線に沿った断面図
【図３】従来のフックを示す正面図
【符号の説明】
１  フック本体
２  鈎部
３  操作レバー
６  スプリング
７  ロックレバー
１０  ストッパ機構
１２  スプリング
【図１】
0003649455.tif 000002
【図２】
0003649455.tif 000003
【図３】
0003649455.tif 000004